(57)【特許請求の範囲】
【請求項１】
一方向に長手に形成されて一端側が開閉する一対の圧接部を備えて両圧接部間に紙等を挟むクリップに装着して用いるクリップ用パッドであって、
前記クリップの何れか一方の圧接部を挿入する第１開口部が一端に形成された袋状の第１装着部と、該第１装着部の一端に連結されて該第１装着部に重合し、前記第１開口部に隣接して前記クリップの他方の圧接部を挿入する第２開口部が形成された袋状の第２装着部とを備え、
前記第１装着部は、前記第１開口部の周縁の前記第２装着部の反対側に位置する一部に、該第１装着部に重合する前記第２装着部よりも外側に突出して前記クリップの一方の圧接部を前記第１装着部の内部に案内する案内片を備え、
前記第２装着部は、前記第２開口部の周縁の前記第１装着部の反対側に位置する一部に、前記クリップの前記他方の圧接部の挿入方向に向かって形成された凹状の切欠き部を備え、
該切欠き部の一部の縁に、前記クリップの何れか一方の前記圧接部を前記第２装着部の内部に案内すべく該切欠き部の内側に突出する突起が形成されていることを特徴とするクリップ用パッド。
【請求項２】
一方向に長手に形成されて一端側が開閉する一対の圧接部を備えて両圧接部間に紙等を挟むクリップに装着して用いるクリップ用パッドであって、
前記クリップの何れか一方の圧接部を挿入する第１開口部が一端に形成された袋状の第１装着部と、該第１装着部の一端に連結されて該第１装着部に重合し、前記第１開口部に隣接して前記クリップの他方の圧接部を挿入する第２開口部が形成された袋状の第２装着部とを備え、
前記第１装着部は、前記第１開口部の周縁の前記第２装着部の反対側に位置する一部に、該第１装着部に重合する前記第２装着部よりも外側に突出して前記クリップの一方の圧接部を前記第１装着部の内部に案内する案内片と、該第１装着部に重合する前記第２装着部よりも外側に拡張して設けられた拡張部とを備えることを特徴とするクリップ用パッド。
【請求項３】
前記第１装着部は、該第１装着部に重合する前記第２装着部よりも外側に拡張して設けられた拡張部を備えることを特徴とする請求項１記載のクリップ用パッド。
【請求項４】
前記拡張部は、複数の前記第１装着部を連結することを特徴とする請求項２又は３記載のクリップ用パッド。
【請求項５】
前記第１装着部と前記第２装着部とは、その一方が他方より大きな形状とされていることを特徴とする請求項１〜４の何れか１項記載のクリップ用パッド。
【請求項６】
前記第１装着部は、前記第１開口部の反対側の端縁に一方向に傾斜する第１傾斜部を備え、
前記第２装着部は、前記第２開口部の反対側の端縁に前記第１傾斜部と異なる方向に傾斜する第２傾斜部を備えることを特徴とする請求項１〜４の何れか１項記載のクリップ用パッド。
【請求項７】
前記第１装着部は、第１内側シートと、該第１内側シートの外側に前記クリップの一方の前記圧接部を収容する第１収容部を除いて貼り合わされた第１外側シートとを備え、
前記第２装着部は、第２内側シートと該第２内側シートの外側に前記クリップの他方の前記圧接部を収容する第２収容部を除いて貼り合わされた第２外側シートとを備え、
前記第１外側シートと前記第２外側シートとは互いに連続する一枚の外側シートで形成され、
前記第１外側シートは、前記第２外側シートから遊離した前記案内片を備えることを特徴とする請求項１〜６の何れか１項記載のクリップ用パッド。
【請求項８】
前記第１装着部は、第１内側シートと、該第１内側シートの外側に前記クリップの一方の前記圧接部を収容する第１収容部を除いて貼り合わされた第１外側シートとを備え、
前記第２装着部は、第２内側シートと該第２内側シートの外側に前記クリップの他方の前記圧接部を収容する第２収容部を除いて貼り合わされた第２外側シートとを備え、
前記案内片は、前記第１外側シートと前記第２外側シートとの少なくともいずれか一方に形成されていることを特徴とする請求項１〜６の何れか１項記載のクリップ用パッド。
【発明の詳細な説明】
【技術分野】
【０００１】
本発明は、紙等を挟み止めるクリップに装着するクリップ用パッドに関する。
【背景技術】
【０００２】
金属線材により扁平な２重渦巻き状に形成されたクリップは、一般にゼムクリップとも呼ばれ、第１巻き部と第２巻き部との間に紙等を挟み込んで留めておく等の用途で広く用いられる。この種のクリップを用いたときには、金属線材の先端が露出していることにより紙等が傷つき、或いは、第１巻き部と第２巻き部とが直接触れて圧接することにより紙等に挟み跡が残るといった不都合があった。【０００３】
そこで、クリップに装着することにより、紙等に傷つきや挟み跡が生じることを防止したクリップ用パッドが知られている（下記特許文献１参照）。このクリップ用パッドにおいては、更に、表面に印刷や色分け等の工夫を施すことで、しおりや整理ラベルとしての用途も提案されている。【０００４】
上記従来のクリップ用パッドは、扁平な袋状の第１装着部と、この第１装着部の一端に連結された扁平な袋状の第２装着部とで構成されている。第１装着部には、第２装着部が連結されている端部に、クリップの第１巻き部を挿入する第１開口部が形成されている。第２装着部には、クリップの第２巻き部を挿入する第２開口部が第１開口部に隣接して形成されている。【０００５】
そして、クリップにクリップ用パッドを装着するときには、第１巻き部と第２巻き部とを夫々第１開口部と第２開口部とに挿入する。これにより、第１巻き部と第２巻き部との挟持力がクリップ用パッドの第１装着部と第２装着部とに付与され、第１装着部と第２装着部とで紙等を確実に挟持することができる。
【先行技術文献】
【特許文献】
【０００６】
【特許文献１】特開２００３−９４８７２号公報
【発明の概要】
【発明が解決しようとする課題】
【０００７】
しかし、上記従来の構成では、第１装着部と第２装着部とは何れも扁平に形成されていて隣接していることから、第１巻き部と第２巻き部とを夫々第１開口部と第２開口部とに挿入しようとして第１装着部と第２装着部とを共に外側から挟んでしまうといった挿入失敗が生じる不都合がある。【０００８】
また、クリップにクリップ用パッドを装着した状態でクリップを抜け止めするために、クリップ用パッドの第１装着部と第２装着部とに、第１巻き部と第２巻き部とを抜け止めするための突条を形成しておく必要があり、構造が複雑でコスト高となる不都合がある。【０００９】
上記の点に鑑み、本発明は、クリップに装着し易くその装着状態を確実に維持することができる構造簡単なクリップ用パッドを提供することを目的とする。
【課題を解決するための手段】
【００１０】
かかる目的を達成するために、本発明は、一方向に長手に形成されて一端側が開閉する一対の圧接部を備えて両圧接部間に紙等を挟むクリップに装着して用いるクリップ用パッドであって、前記クリップの何れか一方の圧接部を挿入する第１開口部が一端に形成された袋状の第１装着部と、該第１装着部の一端に連結されて該第１装着部に重合し、前記第１開口部に隣接して前記クリップの他方の圧接部を挿入する第２開口部が形成された袋状の第２装着部とを備え、前記第１装着部は、前記第１開口部の周縁の前記第２装着部の反対側に位置する一部に、該第１装着部に重合する前記第２装着部よりも外側に突出して前記クリップの一方の圧接部を前記第１装着部の内部に案内する案内片を備え、前記第２装着部は、前記第２開口部の周縁の前記第１装着部の反対側に位置する一部に、前記クリップの前記他方の圧接部の挿入方向に向かって形成された凹状の切欠き部を備え、該切欠き部の一部の縁に、前記クリップの何れか一方の前記圧接部を前記第２装着部の内部に案内すべく該切欠き部の内側に突出する突起が形成されていることを特徴とする。
【００１１】
本発明のクリップ用パッドによれば、クリップに装着するときに、クリップの一方の圧接部が案内片に当接して第１開口部へ案内され、挿入作業を円滑に行うことができる。クリップの２つの圧接部の長さが互いに異なる場合には、長さの長い圧接部を先に第２開口部に挿入させ、次いで、長さの短い圧接部を、案内片に案内させつつ第１開口部に挿入することで、挿入作業が容易に行える。【００１２】
特に、長さの長い圧接部を先に第２開口部に挿入した状態で、長さの短い圧接部を、第１開口部に挿入しようとするとき、長さの長い方の圧接部の撓みが大き過ぎると、長さの短い方の圧接部の先端の向きが第１開口部から大きく外れるおそれがあるが、本発明は前記案内片を備えることにより、長さの短い圧接部の先端が案内片に当接して、長さの長い方の圧接部の過剰な撓みが抑えられるので、クリップにクリップ用パッドを装着する作業を容易に且つ確実に行うことができる。【００１３】
なお、案内片に当接させて案内させる圧接部は、２つの圧接部のうち何れでもよく、例えば、２つの圧接部の長さが同等のクリップであっても、その一方の圧接部を案内片に案内させて、各開口部からの圧接部の挿入作業を容易に行うことができる。【００１４】
更に、クリップの挟持力により本発明のクリップ用パッドが紙等を挟持しているとき、案内片を摘んで引っ張ることで第１装着部と第２装着部とを容易に紙等から取り外すことができる。このとき、案内片を摘むことにより、夫々の圧接部が第１装着部及び第２装着部とから抜け出すことがなく、構造簡単にしてクリップへのクリップ用パッドの装着状態を確実に維持することができる。【００１６】
突起は、切欠き部の内側に形成されて案内片よりも小さいが、クリップの圧接部の第２開口部への挿入方向の先端を切欠き部に合わせると共に突起の内側に当接させることで、圧接部の第２開口部への挿入を円滑に開始することができる。【００１７】
また、本発明において、前記第１装着部は、該第１装着部に重合する前記第２装着部よりも外側に拡張して設けられた拡張部を備えてもよい。これによれば、所望の表示や情報を拡張部に予め印刷したり、使用者が拡張部にメモ等を記入したりすることができ、使い勝手が向上する。更に、このとき、前記拡張部により複数の前記第１装着部を連結することもでき、複数の前記第１装着部及び複数の第２装着部を備えるクリップ用パッドを構成することができる。【００１８】
また、本発明において、前記第１装着部と前記第２装着部とは、その一方が他方より大きな形状とされていることが好ましい。これによれば、第１装着部と第２装着部との境界が容易に視認でき、第１装着部と第２装着部との間に紙等を挟み込む作業が円滑に行える。【００１９】
また、本発明において、前記第１装着部は、前記第１開口部の反対側の端縁に一方向に傾斜する第１傾斜部を備え、前記第２装着部は、前記第２開口部の反対側の端縁に前記第１傾斜部と異なる方向に傾斜する第２傾斜部を備えてもよい。【００２０】
これによれば、第１傾斜部と第２傾斜部との交差位置から、第１装着部と第２装着部との間に紙等を挟み込むことができ、挟み込み作業が容易となる。【００２１】
また、前記第１装着部は、第１内側シートと、該第１内側シートの外側に前記クリップの一方の前記圧接部を収容する第１収容部を除いて貼り合わされた第１外側シートとを備え、前記第２装着部は、第２内側シートと該第２内側シートの外側に前記クリップの他方の前記圧接部を収容する第２収容部を除いて貼り合わされた第２外側シートとを備え、前記第１外側シートと前記第２外側シートとは互いに連続する一枚の外側シートで形成され、前記第１外側シートは、前記第２外側シートから遊離した前記案内片を備えることを好ましい例として挙げることができる。これによれば構造簡単として低コストでクリップ用パッドを製造することができる。【００２２】
また、前記第１装着部は、第１内側シートと、該第１内側シートの外側に前記クリップの一方の前記圧接部を収容する第１収容部を除いて貼り合わされた第１外側シートとを備え、
前記第２装着部は、第２内側シートと該第２内側シートの外側に前記クリップの他方の前記圧接部を収容する第２収容部を除いて貼り合わされた第２外側シートとを備え、前記案内片は、前記第１外側シートと前記第２外側シートとの少なくともいずれか一方に形成されていることを好ましい例として挙げることができる。これによれば外観形状の自由度が高いクリップ用パッドを製造することができる。
【図面の簡単な説明】
【００２３】
【図１】案内片を有するクリップ用パッドであって、Ａは正面図、Ｂは背面図を示す。
【図２】案内片を有するクリップ用パッドの組み立て工程を示す説明図。
【図３】案内片を有するクリップ用パッドのクリップへの装着作業を示す説明図。
【図４】案内片を有するクリップ用パッドのクリップへの装着状態での断面説明図。
【図５】本実施形態のクリップ用パッドを示す説明的背面図。
【図６】他の実施形態のクリップ用パッドを示す説明的正面図。
【図７】拡張部の変形例を示す説明的正面図。
【図８】拡張部の他の変形例を示す説明的正面図。
【図９】案内片の変形例を示す説明的正面図。
【図１０】案内片の他の変形例を示す説明的正面図。
【図１１】案内片を有するクリップ用パッドの他の例を示す説明的正面図。
【図１２】他の案内片を有するクリップ用パッドであって、Ａは正面図、Ｂは背面図を示す。
【発明を実施するための形態】
【００２４】
クリップ用パッド１は、図１Ａに示す第１装着部２と、図１Ｂに示す第２装着部３とを備えている。
【００２５】
第１装着部２は、図１Ａに示すように、正面パネル４と、舌片５とを備えている。舌片５は、正面パネル４の上端（一端）に連接されて上方に向かって突出する。舌片５は、本発明の案内片に相当する。
【００２６】
また、第１装着部２は、図１Ｂに示すように、舌片５の内側に位置する第１開口部６を備えている。第１装着部２は、扁平で中空（袋状）に形成されており、第１開口部６は第１装着部２の内部空間を開放している。
【００２７】
第２装着部３は、図１Ｂに示すように、背面パネル７と、切欠き部８とを備えている。切欠き部８は、第１装着部２の舌片５の形状に対応する凹状に形成されている。第２装着部３は、切欠き部８の内側に位置する第２開口部９を備えている。第２装着部３は、扁平で中空（袋状）に形成されており、第２開口部９は第２装着部３の内部空間を開放している。
【００２８】
クリップ用パッド１は、図２Ａに示すように、外側シート１０と内側シート１１とによって構成されている。外側シート１０は、矩形状の一枚のシート材で形成されているが、その大略中央部を介して一方が第１装着部２の正面パネル４を構成する第１外側シート１０ａとされ、他方が第２装着部３の背面パネル７を構成する第２外側シート１０ｂとされる。また、外側シート１０の大略中央部には、大略Ｕ字状の切れ目線１２が形成されている。なお、符号１３は折り目線である。
【００２９】
内側シート１１は、矩形状の一枚のシート材で形成されている。内側シート１１は、矩形状の一枚のシート材で形成されており、第１外側シート１０ａの対応領域が第１内側シート１１ａとされ、第２外側シート１０ｂの対応領域が第２内側シート１１ｂとされる。
【００３０】
図２Ｂに示すように、外側シート１０と内側シート１１（図２Ａ参照）とは互いに周縁部が貼着部１４を介して接着剤等で貼着され、これによって中空のクリップ用パッド１が扁平な状態に形成される。
【００３１】
そして、図２Ｃに示すように、クリップ用パッド１の大略中央部から折り目線１３を介して折り曲げて内側シート１１側を重合させる。このとき、切れ目線１２（図２Ａ参照）に沿った形状の舌片５が、第２外側シート１０ｂから遊離する。同時に、舌片５が遊離した第２外側シート１０ｂには切欠き部８が形成される。このように、舌片５及び切欠き部８は、外側シート１０に切れ目線１２（図２Ａ参照）を設けた極めて簡単な構成により形成することができる。
【００３２】
そして、図１Ａ及び図１Ｂに示すように、第１装着部２と第２装着部３とが形成されて、使用可能な状態のクリップ用パッド１が形成される。以上の通り、クリップ用パッド１は構成部品の点数も少なく構造も簡単なので製造容易でコストを低く抑えることができる。
【００３３】
クリップ用パッド１は、図３に示すように、クリップＷに装着して用いられる。クリップＷは、適度に弾性を有する金属線材によって扁平な２重渦巻き状に形成され、内側巻き部ｒ１（圧接部）と外側巻き部ｒ２（圧接部）とで紙等を挟持するものである。
【００３４】
次に、クリップ用パッド１をクリップＷに装着するときの作業について説明する。クリップＷは内側巻き部ｒ１より外側巻き部ｒ２の長さが長い。そこで先ず、外側巻き部ｒ２の先端を第２装着部３の第２開口部９に挿入する。
【００３５】
続いて、外側巻き部ｒ２の先端を第２開口部９に挿入した状態でクリップＷを撓ませて内側巻き部ｒ１を外側巻き部ｒ２から離反させつつ第１装着部２の第１開口部６に挿入する。このとき、内側巻き部ｒ１は舌片５に当接して外側巻き部ｒ２から過剰に離反することがなく、舌片５に案内されて確実に第１開口部６に挿入される。
【００３６】
以上のようにしてクリップＷに装着した状態のクリップ用パッド１は、図４に示すように、クリップＷの挟持力により、重合する第１装着部２と第２装着部３とが互いに圧接状態となる。
【００３７】
これにより、第１装着部２と第２装着部３とで紙等を確実に挟持することができる。しかも、第１装着部２と第２装着部３とが平板状であるので、紙等に挟み跡がつくことも抑制することができる。
【００３８】
更に、紙等を挟んだ状態のクリップ用パッド１を紙等から取り外すときには、舌片５を摘んで引っ張ればよく、その作業が容易であるだけでなくクリップ用パッド１からのクリップＷの抜け出しも防止することができる。
【００３９】
なお、本実施形態における第２装着部３は、図５に示すように、切欠き部８の一部の縁に突起１５を形成してもよい。これによれば、例えば、外側巻き部ｒ２を第２開口部９に挿入する際に、外側巻き部ｒ２の先端を突起１５の内側に摺接させることができ、外側巻き部ｒ２の第２開口部９への挿入が案内されてその作業が容易となる。
【００４０】
また、本実施形態において、第１装着部２の正面パネル４には、比較的広い領域が確保されているので、図示しないが、イラストや文字といった各種の情報表示を設けることができる。
【００４１】
更に、これに加えて、図６に示すように、第１装着部２に拡張部１６を形成してもよい。拡張部１６を設けることで、拡張部１６にイラストや文字といった各種の情報表示を印刷し、或いは、拡張部１６にメモ等を書き込めるようにしておくことが可能となるので、使い勝手が向上する。
【００４２】
また、図７及び図８に示すように、前述した構成によるクリップ用パッド１を複数連結してあたかも一つのクリップ用パッドのように構成することもできる。
【００４３】
即ち、図７に示すように、２つのクリップ用パッド１，１を連結する連結拡張部１７（拡張部）を設けてもよい。連結拡張部１７は、２つの第１装着部２と一体に形成されている。連結拡張部１７には、例えば、図示しない壁フック等に掛止する掛止孔１８を設けることができる他、比較的広いメモ書きスペースとしても用いることができる。
【００４４】
また、図８に示すように、２つの第１装着部２の側縁同士を連結することにより２つのクリップ用パッド１，１を一体化し、更に両第１装着部２の外側に環状に張り出す環状拡張部１９（拡張部）を設けてもよい。環状拡張部１９を設けることにより、前記壁フック等に掛止することができる他、指かけ等としても用いることができる。
【００４５】
なお、本実施形態においては、三角形状のクリップＷを用いて説明したが、所謂ゼムクリップの形状として一般的な楕円形状のクリップを用いることもできる。また、図示しないが、一端が連結されて他端が開閉する２つの板状の圧接部を備えるクリップにも採用することができる。また、クリップの材質は、金属に限るものではなく、合成樹脂等により形成されているものであってもよい。
【００４６】
更に、図９に示すように、一方向に並ぶ複数のクリップ用パッド２０を連鎖片部２１により連結してもよい。この場合、各クリップ用パッド２０に対応する部分の連鎖片部２１が本発明の案内片に相当する。
【００４７】
この構成によれば、各クリップ用パッド２０の並び順に紙等を１枚ずつ挟んで留め、各クリップ用パッド２０を並び順に連鎖片部２１に重ねる方向に順次折り曲げることができる。よって、複数の紙等を留め重ねた状態を維持して１枚ずつ順番にめくることができる。
【００４８】
或いは、連結されている各クリップ用パッド２０の連鎖片部２１を切り離すことにより、単独のクリップ用パッド２０として使用することができる。
【００４９】
また、図１０に示すように、放射状に形成した放射連結片部２２を設けて複数のクリップ用パッド２３同士を連結してもよい。放射連結片部２２の各クリップ用パッド２３に対応する延出部分が本発明の案内片に相当する。
【００５０】
また、上記のクリップ用パッド１においては、図１Ａに示すように、第１装着部２と第２装着部３の大きさが異なっている（図示したものにおいては、第１装着部２よりも第２装着部３が大きく形成されている）。これにより、第１装着部２と第２装着部３との間への紙等の挟み込み作業を円滑に行うことができるようになっている。
【００５１】
また、その他の例として、図１１に示すクリップ用パッド２４のように、第１装着部２５における第１開口部２６の反対側の端縁に第１傾斜部２７を設け、第２装着部２８における第２開口部２９の反対側の端縁に第２傾斜部３０を設けてもよい。
【００５２】
第２傾斜部３０の傾斜の方向は、第１傾斜部２７と異なる方向となるように形成されている。これにより、第１傾斜部２７に対して第２傾斜部３０が交差するので、第１傾斜部２７と第２傾斜部３０との交差部分に紙等を当接させ、第１装着部２７と第２装着部３０との間に紙等を容易に挟み込ませることができる。
【００５３】
また、その他の例として、図１２Ａ及び図１２Ｂに示すクリップ用パッド３１のように、第１装着部３２の全体の輪郭形状及び、第２装着部３３の全体の輪郭形状は、何れも、自由に設定することができる。
【００５４】
即ち、第１装着部３２及び第２装着部３３は矩形状でなくてもよく、案内片３４も第１装着部３２及び第２装着部３３の輪郭の一部を構成する形状とすることができる。そして、案内片３４の一部には、図示しない壁フック等に掛止する掛止孔３５を形成することが可能となる。
【００５５】
また、図１に示したクリップ用パッド１は、第２外側シート１０ｂから遊離させた舌片５により案内片を形成しているが、これに限らず、例えば、図１２Ａ及び図１２Ｂに示すクリップ用パッド３１のように、外面を構成している外側シートに初めから案内片として作用する部分を形成しておくこともできる。この場合、図示しないが、第１外側シートと第２外側シートとの一方または両方で形成することができる。
【産業上の利用可能性】
【００５６】
本発明のクリップ用パッドは、クリップに装着するときにクリップの一部を案内する案内片を設けることにより、クリップに装着し易くその装着状態を確実に維持することができ、表面に印刷や色分け等の工夫を施すことで、しおりや整理ラベルとして好適に用いることができる。
【符号の説明】
【００５７】
Ｗ…クリップ、ｒ１…内側巻き部（圧接部）、ｒ２…外側巻き部（圧接部）、１，２０，２３，２４，３１…クリップ用パッド、２，２５，３２…第１装着部、３，２８，３３…第２装着部、５…舌片（案内片）、６，２６…第１開口部、８…切欠き部、９，２９…第２開口部、１０ａ…第１外側シート、１０ｂ…第２外側シート、１１ａ…第１内側シート、１１ｂ…第２内側シート、１５…突起、１６…拡張部、１７…連結拡張部（拡張部）、１９…環状拡張部（拡張部）、２１…連鎖片部（案内片）、２２…放射連結片部（案内片）、２７…第１傾斜部、３０…第２傾斜部、３４…案内片。
【要約】
クリップに装着し易くその装着状態を確実に維持することができる構造簡単なクリップ用パッドを提供する。一方の圧接部１と他方の圧接部２との間に紙等を挟むクリップＷに装着して用いられ、クリップＷの一方の圧接部ｒ１を挿入する第１開口部６が一端に形成された扁平な袋状の第１装着部２と、第１装着部２の一端に連結されて第１装着部２に重合し、第１開口部６に隣接してクリップＷの他方の圧接部ｒ２を挿入する第２開口部９が形成された扁平な袋状の第２装着部３とを備える。第１装着部２は、第１開口部６の周縁の一部に、第１装着部２に重合する第２装着部３よりも外側に突出してクリップＷの圧接部ｒ１を第１装着部２の内部に案内する案内片５を備える。【図１】
0006890362.tif 000002
【図２】
0006890362.tif 000003
【図３】
0006890362.tif 000004
【図４】
0006890362.tif 000005
【図５】
0006890362.tif 000006
【図６】
0006890362.tif 000007
【図７】
0006890362.tif 000008
【図８】
0006890362.tif 000009
【図９】
0006890362.tif 000010
【図１０】
0006890362.tif 000011
【図１１】
0006890362.tif 000012
【図１２】
0006890362.tif 000013